(57)【要約】【課題】配線作業を行うことなく配設できるとともに、配設後において表示情報の変更を行うことが可能な表示装置を備える建材を提供すること。【解決手段】表示装置８は、表示情報を表示する表示画面１２ａを構成するとともに、表示画面１２ａに表示する表示情報を電子的に書き換え可能な電子ペーパー１２と、電子ペーパー１２を各々識別可能な識別情報を記憶する記憶手段１５と、記憶手段１５に記憶されている識別情報を無線通信により送信可能な送信部１３と、表示画面１２ａに表示する表示情報を特定可能な表示特定情報を無線通信により受信する受信部１３と、電子ペーパー１２に電力を供給する電力供給手段１４と、受信部１３にて表示特定情報を受信したことに基づいて、電子ペーパー１２の表示画面１２ａの表示制御を行う表示制御手段１６と、を備える。【選択図】図３
2010026070.tif 000002
【特許請求の範囲】
【請求項１】
所定の表示情報を表示可能な表示装置を備える建材であって、
前記表示装置は、
前記表示情報を表示する表示画面を構成するとともに、該表示画面に表示する表示情報を電子的に書き換え可能な電子ペーパーと、
前記電子ペーパーを各々識別可能な識別情報を記憶する記憶手段と、
前記記憶手段に記憶されている識別情報を無線通信により送信可能な送信部と、
前記表示画面に表示する表示情報を特定可能な表示特定情報を無線通信により受信する受信部と、
前記電子ペーパーに電力を供給する電力供給手段と、
前記受信部にて前記表示特定情報を受信したことに基づいて、前記電子ペーパーの表示画面の表示制御を行う表示制御手段と、
を備えることを特徴とする表示装置を備える建材。
【請求項２】
前記受信部及び前記送信部は、透光性を有するとともに、前記電子ペーパーの表示画面上に配設されていることを特徴とする請求項１に記載の表示装置を備える建材。
【請求項３】
前記電力供給手段は、光起電力効果によって電力を発生させる発電部を有する太陽電池を含むことを特徴とする請求項１または２に記載の表示装置を備える建材。
【請求項４】
前記発電部は、前記受信部及び前記送信部の周囲に沿って枠状に配置されていることを特徴とする請求項３に記載の表示装置を備える建材。
【請求項５】
前記建材の本体内部に形成され、前記表示装置を収容するための収容部と、
前記表示画面を透視可能な保護パネルと、
を備え、
前記収容部の開口を前記保護パネルにより閉塞したことを特徴とする請求項１ないし４のいずれかに記載の表示装置を備える建材。
【発明の詳細な説明】
【技術分野】
【０００１】
本発明は、所定の表示情報を表示可能な表示装置を備える建材に関する。
【背景技術】
【０００２】
従来、磁性材によって構成された基板上に、正面側に表示画面要素（表示画面）が設けられた単位表示体（表示装置を備える建材）の背面を、永久磁石を介して整列配置することによって大型表示画面を形成可能となっており、単位表示体の取り外しや、位置の微調整を容易に行えるようにしているものがある（例えば、特許文献１参照）。
【０００３】
【特許文献１】特開２００７−２４８４９８号公報（第５頁、第２図）
【発明の開示】
【発明が解決しようとする課題】
【０００４】
しかしながら、上記特許文献１に記載の単位表示体（表示装置を備える建材）にあっては、単位表示体毎に、単位表示体のコネクタに外部電源や、表示画面要素（表示画面）を操作する外部コントローラ等の配線を接続する作業が必要となるため、複数の単体表示体を基板上に配列する際の作業が煩雑になるという問題があった。
【０００５】
本発明は、このような問題点に着目してなされたもので、配線作業を行うことなく配設できるとともに、配設後において表示情報の変更を行うことが可能な表示装置を備える建材を提供することを目的とする。
【課題を解決するための手段】
【０００６】
前記課題を解決するために、本発明の請求項１に記載の表示装置を備える建材は、
所定の表示情報を表示可能な表示装置を備える建材であって、
前記表示装置は、
前記表示情報を表示する表示画面を構成するとともに、該表示画面に表示する表示情報を電子的に書き換え可能な電子ペーパーと、
前記電子ペーパーを各々識別可能な識別情報を記憶する記憶手段と、
前記記憶手段に記憶されている識別情報を無線通信により送信可能な送信部と、
前記表示画面に表示する表示情報を特定可能な表示特定情報を無線通信により受信する受信部と、
前記電子ペーパーに電力を供給する電力供給手段と、
前記受信部にて前記表示特定情報を受信したことに基づいて、前記電子ペーパーの表示画面の表示制御を行う表示制御手段と、
を備えることを特徴としている。
この特徴によれば、表示装置の表示画面が、表示情報を保持するための電力を必要としない電子ペーパーから構成されていることで、少ない電力供給で種々の表示情報を表示することができるばかりか、表示画面に表示する表示情報を特定可能な表示特定情報を無線通信により受信することにより表示画面に表示する表示情報を変更できることで、建材の施工時において、表示に必要な電力の供給や表示特定情報及び識別情報の送受信のための外部との配線接続が不要になるとともに、建材を配設した後でも表示情報を容易に変更することができる。また、識別情報が送信可能であることにより、複数の建材が配設される場合において、各電子ペーパーで個別の表示情報を表示することが可能となる。
尚、前記建材とは、天井、壁、床などに使用される内装材に限定されるものではなく、瓦や煉瓦等の外装材も含む。
【０００７】
本発明の請求項２に記載の表示装置を備える建材は、請求項１に記載の表示装置を備える建材であって、
前記受信部及び前記送信部は、透光性を有するとともに、前記電子ペーパーの表示画面上に配設されていることを特徴としている。
この特徴によれば、建材の表示画面以外の表面が外部に露呈されない場合でも、表示特定情報及び識別情報を、表示画面の視認性を損ねることなく送受信できるばかりか、表示画面を極力大型化できる。
【０００８】
本発明の請求項３に記載の表示装置を備える建材は、請求項１または２に記載の表示装置を備える建材であって、
前記電力供給手段は、光起電力効果によって電力を発生させる発電部を有する太陽電池を含むことを特徴としている。
この特徴によれば、例えば、電球や太陽等の光源からの光によって発電部で発電された電力を電子ペーパーに供給できることで、バッテリ等の交換や外部電源からの充電作業が不要となるため、長期にわたり表示装置を使用できる。
【０００９】
本発明の請求項４に記載の表示装置を備える建材は、請求項１ないし３のいずれかに記載の表示装置を備える建材であって、
前記発電部は、前記受信部及び前記送信部の周囲に沿って枠状に配置されていることを特徴としている。
この特徴によれば、表示画面の視認性を損ねることなく、かつ効率よく受光して発電することができる。
【００１０】
本発明の請求項５に記載の表示装置を備える建材は、請求項１ないし４のいずれかに記載の表示装置を備える建材であって、
前記建材の本体内部に形成され、前記表示装置を収容するための収容部と、
前記表示画面を透視可能な保護パネルと、
を備え、
前記収容部の開口を前記保護パネルにより閉塞したことを特徴としている。
この特徴によれば、表示装置が収容された収容部が、強度の高い建材の本体と保護パネルとにより覆われるため、装置の破損や、建材を配設するために使用される接着剤やセメント等の補助材料あるいは雨水等の収容部内への進入等を防止できる。
【発明を実施するための最良の形態】
【００１１】
本発明に係る表示装置を備える建材を実施するための最良の形態を実施例に基づいて以下に説明する。
【実施例１】
【００１２】
本発明の実施例を図面に基づいて説明すると、先ず図１は、本発明の実施例１における表示パネルが適用された部屋の全体像を示す斜視図であり、図２は、表示パネルの取り付けを示す拡大斜視図であり、図３は、表示パネルを示す分解斜視図であり、図４は、図２における表示パネルを示す一部拡大Ａ−Ａ断面図であり、図５は、表示パネルの構成を示すブロック図である。以下、図３の紙面左側及び図４の紙面上方側を表示パネルの正面側（前方側）として説明する。
【００１３】
図１の符号１は、本発明における建材としての表示パネルである。この表示パネル１は、略直方体形状に形成され、例えば、屋内の壁２の内面に上下に複数敷き詰められて使用される。具体的には、図２及び図４に示すように、表示パネル１は、壁２の内壁面を構成する仕上材（化粧パネル）とされ、該仕上材を構造的に支持する合板や石膏板等の基材３の表面に形成された接着剤等からなる接着層４に背面が貼り付けられている。
【００１４】
各表示パネル１の正面側は、後述する表示装置８の表示画面１２ａが視認できるようになっており、この表示画面１２ａに絵柄、模様、画像、文字等の表示情報を表示することによって、壁紙を表現できるようになっている。また、これら複数の表示パネル１の表示画面１２ａにより構成される大型の表示画面に表示される表示パターンは、図５に示すコントローラ５によって、予め登録された複数種類の表示パターンのうちから選択することにより変更できるようになっている。
【００１５】
図３及び図４に示すように、表示パネル１は、後述する表示装置８を収容する本発明における建材の本体を構成するケース体６を有している。このケース体６は、ＡＢＳ樹脂等の樹脂材により、正面に開口７ａを有する箱体にて所定強度で構成され、内部には表示装置８を収容するための収容部７が凹設されている。
【００１６】
収容部７内に表示装置８が収容されたケース体６には、正面側からケース体６の正面視での外形と略同寸の保護パネル９が取り付けられる。この保護パネル９は、無色透明なガラスもしくは樹脂材により構成されている。この保護パネル９がケース体６に正面側から取り付けられることにより、収容部７の開口７ａが閉塞され、ケース体６内に収容された表示装置８が保護される。
【００１７】
ケース体６と保護パネル９との間には、ゴム材等によって構成された枠状のシール材１０が配設されている。このシール材１０によりケース体６と保護パネル９との全周が接着されるため、収容部７内は密封状態に維持される。
【００１８】
また、保護パネル９により、表示装置８が収容された収容部７の開口７ａをシール材１０を介して閉塞すると、保護パネル９の背面に表示装置８の正面が隙間なく密接し、該保護パネル９を通して表示装置８の表示画面８ａを視認可能となるとともに、表示情報の屈折が防止される。
【００１９】
次に、表示装置８の構成を、図５に基づいて説明する。表示装置８は、正面が表示情報を表示する表示画面１２ａとして構成された電子ペーパーである電子ペーパー１２と、表示画面１２ａに表示する表示情報や各表示パネル１毎の電子ペーパー１２を個々に識別可能な識別情報としての固有の表示パネルＩＤが記憶される記憶部１５（記憶手段）及び該記憶部１５に記憶されている表示データに基づいて電子ペーパー１２の表示画面１２ａの表示制御を行うＣＰＵ（表示制御手段）等を有する表示制御回路１６が設けられた制御基板１１と、後述するコントローラ５と無線通信によりデータ通信可能な本発明における送信部及び受信部としてのデータ送受信部１３と、制御基板１１に電力を供給するための太陽電池１４と、から構成され、表示制御回路１６には、電子ペーパー１２、データ送受信部１３、太陽電池１４、記憶部１５が接続されている。
【００２０】
本実施例では、図１に示されるように、壁２の壁面に複数の表示パネル１を互いに隣接配置することにより大型の表示画面が構成されており、壁２全体の表示パターンとして複数種類の表示パターンが予め定められているとともに、各表示パネル１には、各表示パターンを構成する表示情報としての表示パターンデータが各々記憶されている。そして、後述するコントローラ５にて、予め登録された複数種類の表示パターンのうちから選択された表示パターンを特定可能な表示特定情報としてのパターンＩＤ（例えばＡパターン、Ｂパターン、・・・等）が各表示パネル１に送信されることにより、各表示パネル１の表示画面１２ａの表示内容が切り換わり、壁２全体の表示パターンが変更されるようになっている。
【００２１】
具体的には、各表示パネル１の記憶部１５には、各表示パターンに対応する表示パターンデータが予め複数記憶されており、表示制御回路１６のＣＰＵは、後述するようにコントローラ５から送信されたパターンＩＤを受信したときに、該受信したパターンＩＤに対応する表示パターンデータに基づく画像等を表示画面１２ａに表示させる制御を行う。
【００２２】
図３及び図４に示されるように、制御基板１１は、電子ペーパー１２の背面に当接するように配置され、データ送受信部１３と、太陽電池１４は、電子ペーパー１２の正面である表示画面１２ａ上（表示領域内）に層状に配置されている。制御基板１１及び電子ペーパー１２は、収容部７と略同寸の正面視方形状に形成されている。
【００２３】
また、特に図示はしないが、制御基板１１には、太陽電池１４に接続されたバッテリが設けられており、太陽電池１４で発電された電力はバッテリに一時的に蓄電することができるようになっている。つまり、この図示しないバッテリと太陽電池１４は、本発明における電力供給手段を構成している。
【００２４】
電子ペーパー１２は、表示画面１２ａに表示させる表示パターンデータを電子的に書き換え可能な電子機器であり、液晶モニタと異なりバックライト等を用いないため、液晶モニタ等の他の表示画面を有する電子機器と比較して消費電力が少なくて済むようになっている。更に、電子ペーパー１２は、表示画面１２ａの書き換え時のみに電力を使用し、電力が供給されない状態であっても表示画面１２ａの表示内容を維持できるようになっている。
【００２５】
本実施例における電子ペーパー９の表示方式は、マイクロカプセル電気泳動方式を採用している。具体的には、図４に示すように、電子ペーパー１２は、カバーフィルム１７の正面に形成された磁気泳動記憶層１８と、磁気泳動記憶層１８を覆う透光性を有する保護層１９と、から構成されている。このうち、カバーフィルム１７の正面側及び保護層１９の背面側には、図示しない透明電極が配置されている。また、磁気泳動記憶層１８には、無数の透明なマイクロカプセル２０が封じ込められており、このマイクロカプセル２０の中には、帯電された白と黒の粒子が内包されている。そして、磁気泳動記憶層１８内に透明電極によって所定の電圧をかけることでマイクロカプセル２０内の粒子を移動させることで、表示画面１２ａの書き換えを行うようになっている。
【００２６】
図３及び図４に示すように、データ送受信部１３は、制御基板１１及び電子ペーパー１２よりも僅かに縮小された正面視方形状に形成されており、表示画面１２ａの略中央に配置されている。また、データ送受信部１３は、インジウムスズ酸化物等によって生成された透光性を有する透明導電膜アンテナによって構成されており、記憶部１５に記憶されている表示パネルＩＤを無線通信によってコントローラ５（図５参照）に送信可能であるとともに、コントローラ５から無線通信によって送信された表示パネルＩＤやパターンＩＤを受信可能となっている。
【００２７】
太陽電池１４は、正面が光起電力効果により日光や蛍光灯等の光源から発せられる光が照射されると電力を発生する発電部１４ａに構成されており、発電部１４ａで発電された電力は、制御基板１１に設けられた図示しないバッテリに蓄電される。夜間の消灯時など光が太陽電池１４に照射されない場合には、蓄電されたバッテリから制御基板１１に電力を供給するようになっている。
【００２８】
また、太陽電池１４は、表示画面１２ａ上を、データ送受信部１３の周囲に沿って枠状に配置されている。このように太陽電池１４とデータ送受信部１３とは前後に層状に重なり合うように配置される。尚、太陽電池１４は、表示画面１２ａに表示される表示情報を変更するための電力を十分に得られるのであれば、太陽電池１４の表示画面１２ａ上に占める面積は小さいほど望ましい。
【００２９】
太陽電池１４、データ送受信部１３及びシール材１０は、前後幅（厚み）が略同一に形成されており、表示装置８がケース体６の収容部７に収容された状態において、太陽電池１４、データ送受信部１３及びシール材１０の表面が略面一となる。そのため、保護パネル９が収容部７の開口７ａを閉塞する際に、保護パネル９の背面に、表示装置８の正面である太陽電池１４とデータ送受信部１３との表面が当接するので、表示装置８は収容部７内においてがたつきなく固設される。
【００３０】
尚、制御基板１１は、太陽電池１４とデータ送受信部１３と電子ペーパー１２とに図示しない透明配線によって接続されている。また、これら表示装置８は、一体的にユニット化された状態で収容部７内に収容される。
【００３１】
次に、コントローラ５の構成を、図５に基づいて説明する。コントローラ５は、特に図示はしないが、手中に収まる程度の大きさのリモートコントローラであり、コントローラ５での各種処理を実行する制御回路２１を有し、該制御回路２１には、後述する初期設定により各表示パネル１から取得した表示パネルＩＤや、各表示パターンに対応する複数のパターンＩＤが記憶される記憶部２２と、例えばタッチパネルやキーボード等（図示略）により構成され、各種操作を行うための操作部２３と、操作部２３の操作内容を表示可能な表示器３５と、操作部２３の操作に基づいて、各表示パネル１に対して種々の情報を送信するデータ送受信部２４と、コントローラ５に電力を供給するバッテリ２５と、が接続されている。
【００３２】
ここで、コントローラ５の操作方法及び制御内容を説明する。本実施例では、まず初期設定として、表示特定情報としてのパターンＩＤを送信する複数の表示パネル１を特定可能な表示パネルＩＤを取得する処理を行う。
【００３３】
具体的には、操作部２３にて予め定められた初期設定操作を行うことにより初期設定処理が実施され、該初期設定処理においては、まず表示パネルＩＤの取得要求情報がデータ送受信部２４を介して送信される。
【００３４】
表示パネル１の表示制御回路１６は、コントローラ５から送信された取得要求情報を受信したことに基づき、記憶部１５に記憶されている表示パネルＩＤを、データ送受信部１３を介して送信する。
【００３５】
コントローラ５の制御回路２１は、取得要求情報の送信に基づき受信した複数の表示パネルＩＤを記憶部１５に記憶（登録）し、初期設定処理を終了する。
【００３６】
次に、壁２全体の表示パターンを変更する場合、使用者は、まずコントローラ５の操作部２３にてパターン選択操作を行い、記憶部２２に記憶されている複数種類の表示パターンのうちから所望の表示パターンを選択する。尚、選択された表示パターンは表示器３５に表示され、使用者が選択内容を目視にて確認できるようになっている。
【００３７】
そして、選択した表示パターンでよければ、操作部２３により送信操作を行うことで、データ送受信部２４を介して、選択された表示パターンに対応するパターンＩＤ及び表示パネルＩＤを含む表示特定情報が送信される。
【００３８】
各表示パネル１の表示制御回路１６は、データ送受信部１３にて受信した表示特定情報に含まれる複数の表示パネルＩＤのうちいずれかが、記憶部１５に記憶されている表示パネルＩＤと一致するか否かを判定し、一致すると判定した場合、該表示特定情報に含まれるパターンＩＤに対応して記憶されている表示パターンデータを読み出し、電子ペーパー１２に電圧を印加して、読み出した表示パターンデータに基づく画像を表示画面１２ａに表示させる制御を行う。つまり、表示特定情報としてのパターンＩＤの受信に基づき、各表示パネル１の表示内容が個々に切り換わり、壁２全体の表示パターンが変更されることになる。
【００３９】
また、使用者が新たに表示パターンを変更する場合、上記手順で異なる表示パターンを選択して送信する操作を行うことで、表示パターンを容易に変更することができる。
【００４０】
以上、本実施例における表示パネル１にあっては、表示装置８の表示画面１２ａが、表示情報を維持するための電力を必要としない電子ペーパー１２から構成されていることで、少ない電力供給で種々の表示情報を表示することができるばかりか、表示画面１２ａに表示する表示パターンデータを特定可能な表示特定情報であるパターンＩＤを外部のコントローラ５から無線通信によって受信することができるため、壁２に表示パネル１を貼り付けた後においても、表示画面１２ａに表示する表示パターンデータの変更を行うことが可能である。
【００４１】
また、各表示パネル１それぞれは、表面に配線接続用のコネクタ等が一切存在しないとともに、表示に必要な電力を供給可能な電源部を有する独立した建材ユニットとして構成されていることで、表示に必要な電力の供給や表示特定情報及び表示パネルＩＤを送受信するための外部との配線接続作業が不要なため、複数の表示パネル１を基材３に貼り付ける作業が煩雑になることがない。また、表示パネルＩＤが外部に送信可能であることにより、故障等によりいずれかの表示パネル１を交換した場合でも、表示パネルＩＤを新たに取得することで、交換された表示パネル１をコントローラ５が特定することができる。
【００４２】
本実施例では、壁２の基材３に配設された全ての表示パネル１の表示画面１２ａを一斉に切り換える表示パターンが記憶されていたが、例えば特定の表示パネル１にのみパターンＩＤを送信すれば、特定の表示パネル１の電子ペーパー１２でのみ個別に表示情報を変更することも可能である。
【００４３】
また、データ送受信部１３は、透光性を有するとともに、電子ペーパー１２の表示画面１２ａ上に配設されているので、表示パネル１の表示画面１２ａ以外の表面が外部に露呈されない場合でも、表示特定情報や表示パネルＩＤを、表示画面１２ａの視認性を損ねることなく送受信できるばかりか、表示画面１２ａを極力大型化できる。
【００４４】
また、電力供給手段は、光起電力効果によって電力を発生させる発電部１４ａを有する太陽電池１４を含むので、例えば、電球や太陽等の光源からの光によって発電部１４ａで発電された電力を電子ペーパー１２に供給できることで、バッテリ等の交換や外部電源からの充電作業が不要となるため、長期にわたり表示装置８を使用できる。
【００４５】
また、発電部１４ａは、データ送受信部１３の周囲に沿って枠状に配置されているので、表示画面１２ａの視認性を損ねることなく、かつ効率よく受光して発電することができる。
【００４６】
また、収容部７の開口７ａを保護パネル９により閉塞したので、表示装置８が収容された収容部７が、強度の高いケース体６と保護パネル９とにより覆われるため、装置の破損や、表示パネル１を配設するために使用される接着剤やセメント等の補助材料あるいは雨水等の収容部７内への進入等を防止できる。
【実施例２】
【００４７】
次に、実施例２に係る表示装置を備える建材につき、図６及び図７を参照して説明する。尚、前記実施例と同一構成で重複する構成を省略する。図６は、実施例２における方向指示パネルが敷設された舗装路を示す斜視図であり、図７は、図６における方向指示パネルを示すＢ−Ｂ断面図である。以下、図７の紙面上方を方向指示パネルの上方として説明する。
【００４８】
図６に示すように、本発明の実施例２としての表示装置を備えた建材は、イベント会場等の屋外の地面に敷設される建材としての方向指示パネル２６である。この方向指示パネル２６は、図６に示すように、外装材である石畳２７によって舗装された舗装路２８において、一部の石畳の代わりに単体で敷設されている。
【００４９】
各方向指示パネル２６は、表示画面１２ａに本発明における表示情報としての矢印を表示しており、十字路等の分岐でイベントの順路から外れないように、来場客を誘導するようになっている。
【００５０】
図７に示すように、方向指示パネル２６は、地面Ｇに配置される本発明における建材の本体としての支持体２９と、表示画面１２ａに矢印を表示する表示装置８と、表示装置８を上方からの圧力から保護する保護パネル３０と、から構成されている。
【００５１】
支持体２９は、炭素繊維強化プラスチック等の高強度を有する樹脂材によって構成されている。また、支持体２９には、上面に開口３１ａを有する収容部３１が凹設されており、この収容部３１に表示装置８が収容されている。更に、支持体２９の下面には、支持体２９を軽量化するための下向き凹状の空隙３２が形成されている。尚、支持体２９の側面には微小な凸凹が形成されており、セメント３４と接合し易くなっている。
【００５２】
保護パネル３０は、ポリカーボネート等の透光性を有し、且つ高強度を有する樹脂材もしくは強化ガラス等で構成されている。また、上方から荷重が掛かることにより発生する撓みを防止するために、十分な上下長さ（厚み）を有して形成されている。
【００５３】
この保護パネル３０は、表示装置８が収容された収容部３１を閉塞する際、シール材１０によって、保護パネル３０と表示装置８との間に空気層３３が形成される。こうすることで、保護パネル３０に上方から荷重が掛かって撓みが発生しても、保護パネル３０と表示装置８とが当接していないので、表示装置８が保護パネル３０に押圧されて破損してしまうことを防止することができる。
【００５４】
そして、方向指示パネル２６は、前後及び左右をセメント３４によって隣り合う石畳と接着されることによって位置固定される。尚、表示画面１２ａの表示情報を変更する際には、実施例１と同様に、コントローラ５によって無線通信を行い、表示画面１２ａを書き換える。
【００５５】
尚、表示情報の変更は、例えばイベント会場にて開催されるイベントの変更に伴い展示ブースが変更された場合等において、来場客の誘導順路示す矢印の向き等を変更する場合等において行われる。
【００５６】
このように、本実施例２において前記実施例１と相違する点は、建材の本体としての支持体２９及び表示する表示データが相違するだけであり、表示装置８の構成は前記実施例１と同一であるため、前記実施例１と同様の作用・効果を奏する。
【００５７】
以上、本発明の実施例を図面により説明してきたが、具体的な構成はこれら実施例に限られるものではなく、本発明の要旨を逸脱しない範囲における変更や追加があっても本発明に含まれる。
【００５８】
例えば、前記実施例では、表示パネル１の表示画面１２ａに表示される表示情報の切り換え、つまり、表示画面１２ａに表示する表示データを特定可能な表示特定情報（パターンＩＤ）を無線通信で送信可能な表示特定情報送信手段の一例として、リモートコントローラ５が適用されていたが、このようなリモートコントローラ等に限定されるものではなく、例えば室内の蛍光灯のスイッチに接続されたパーソナルコンピュータ等としてもよい。この場合、蛍光灯のスイッチの切り換えを行った回数やスイッチを押し続けた時間等に応じて、パーソナルコンピュータから表示特定情報が送信され、各表示パネル１の表示画面１２ａの表示情報が変更されるようにすればよい。
【００５９】
さらに、上記パーソナルコンピュータに音声センサまたは振動センサを接続し、手を叩く音や振動の検知に基づいて表示特定情報を送信可能とすることによって、各表示パネル１の表示画面１２ａの表示情報が変更されるようにしてもよい。
【００６０】
また、前記実施例では、表示画面１２ａに表示する表示情報（表示データ）を特定可能な表示特定情報として、予め定められた表示パターンを特定可能なパターンＩＤとしていたが、表示画面１２ａに表示する表示情報（表示データ）を特定可能な情報であれば、例えば単なる表示変更指令情報であってもよいし、あるいは、表示パネル１の表示画面１２ａにて表示する表示データそのものであってもよい。
【００６１】
また、前記実施例では、表示装置８が収容された収容部７の開口７ａを保護パネル９によって閉塞したが、表示パネル１を室内に限定して使用するのであれば保護パネル９は必ずしも必要ではない。
【００６２】
また、前記実施例では、表示画面１２ａ上に配置されたデータ送受信部１３の周囲に沿って枠状に配置された太陽電池１４を配置したが、太陽電池１４が透光性を有していれば、太陽電池１４と、データ送受信部１３と、を積層して表示画面１２ａ上に配置してもよい。
【００６３】
また、前記実施例では、建材の一例として、壁２の内装材としての表示パネル１や、地面を構成する外装材としての方向指示パネル２６が記載されていたが、天井や床などに使用される内装材や、瓦や煉瓦等の外装材を構成するものであってもよい。
【００６４】
また、前記実施例２の方向指示パネル２６では、支持体２９に凹設された収容部３１内に表示装置８を収容し、保護パネル３０にて収容部３１の開口３１ａを閉塞しているが、支持体２９に収容部３１を形成せずに、支持体自体を透光性及び高強度を有する樹脂材によって構成し、該樹脂材に表示装置８を埋設することで、支持体自体が保護パネル３０を兼用するようにしてもよい。
【００６５】
また、前記実施例では、電子ペーパー１２の表示方式を、帯電された白と黒の粒子が内包されているマイクロカプセル１４を封入した磁気泳動記憶層１８内に透明電極によって所定の電圧をかけることで、マイクロカプセル１４内の粒子を移動させ、表示画面１２ａの書き換えを行うマイクロカプセル電気泳動方式として説明したが、半球ごとに白と黒に塗り分けられた球形微粒子に電圧をかけることで、球形微粒子を回転させて表示画面１２ａの書き換えを行うツイストボール方式等、表示画面１２ａの表示情報を電力の消費無しに保持できるものであれば、電子ペーパー１２の表示方式は問わない。
【図面の簡単な説明】
【００６６】
【図１】本発明の実施例１における表示パネルが適用された部屋の全体像を示す斜視図である。
【図２】表示パネルの取り付けを示す拡大斜視図である。
【図３】表示パネルを示す分解斜視図である。
【図４】図２における表示パネルを示す一部拡大Ａ−Ａ断面図である。
【図５】表示パネルの構成を示すブロック図である。
【図６】実施例２における方向指示パネルが敷設された舗装路を示す斜視図である。
【図７】図６における方向指示パネルを示すＢ−Ｂ断面図である。
【符号の説明】
【００６７】
１                表示パネル（建材）
６                ケース体（建材の本体）
７                収容部
７ａ              開口
８                表示装置
９                保護パネル
１０              シール材
１２              電子ペーパー
１２ａ            表示画面
１３              データ送受信部（送信部，受信部）
１４              太陽電池（電力供給手段）
１４ａ            発電部（電力供給手段）
１５              記憶部（記憶手段）
１６              表示制御回路（表示制御手段）
２６              方向指示パネル（建材）
２９              支持体（建材の本体）
３０              保護パネル
３１              収容部
３１ａ            開口
３２              空隙
３３              空気層
【図１】
2010026070.tif 000003
【図２】
2010026070.tif 000004
【図３】
2010026070.tif 000005
【図４】
2010026070.tif 000006
【図５】
2010026070.tif 000007
【図６】
2010026070.tif 000008
【図７】
2010026070.tif 000009